(57)【要約】【課題】偏光特性の変化を抑制しつつ、輝度を高めることができる表示切替装置及びこの表示切替装置を備えたスイッチ装置を提供する。【解決手段】スイッチ装置１は、第１及び第２光源４０，５０と、第１及び第２光源４０，５０の動作状態を切替えるスイッチ部９２と、スイッチ部９２を操作する操作部１０と、操作部１０に設けられ、第１光源４０からの光を第１の偏光方向に偏光する第１光源側偏光板４５と、第２光源４０からの光を第１の偏光方向とは異なる第２の偏光方向に偏光する第２光源側偏光板５５と、第１の偏光方向を有する偏光を透過させる第１表示用偏光板２０と、第１表示用偏光板２０と一部が重複するように設けられ、第２の偏光方向を有する偏光を透過させる第２表示用偏光板３０と、第１及び第２光源側偏光板４５，５５を透過した偏光を第１及び第２表示用偏光板２０，３０に向けてガイドするライトガイド８０と、を備えている。【選択図】図１
2018156005.tif 000002
【特許請求の範囲】
【請求項１】
第１及び第２光源と、
前記第１光源からの光を第１の偏光方向に偏光する第１光源側偏光板と、
前記第２光源からの光を前記第１の偏光方向とは異なる第２の偏光方向に偏光する第２光源側偏光板と、
前記第１の偏光方向を有する偏光を透過させて第１表示マーク部を表示させる第１表示用偏光板と、
前記第１表示用偏光板と一部が重複するように設けられ、前記第２の偏光方向を有する偏光を透過させて第２表示マーク部を表示させる第２表示用偏光板と、
前記第１及び第２光源側偏光板と前記第１及び第２表示用偏光板との間に配置されて、前記第１及び第２光源側偏光板を透過した偏光を前記第１及び第２表示用偏光板に向けて外面反射する反射面を有するライトガイドと、を備えている、
表示切替装置。
【請求項２】
前記ライトガイドは筒状であり、
前記ライトガイドの内面が前記反射面として形成されている、
請求項１に記載の表示切替装置。
【請求項３】
請求項１又は２に記載の表示切替装置を備えるスイッチ装置であって、
前記第１及び第２光源の発光状態及び非発光状態を切り替えるスイッチ部と、
前記スイッチ部を操作する操作部と、を備え、
前記第１及び第２表示用偏光板が前記操作部に設けられている、
スイッチ装置。
【請求項４】
前記スイッチ部は、筒状の収容部の端部に配置され、
前記操作部が、前記収容部の軸方向に沿って移動して、前記スイッチ部における動作状態を切り替える、
請求項３に記載のスイッチ装置。
【発明の詳細な説明】
【技術分野】
【０００１】
本発明は、表示切替装置及び表示切替装置を備えたスイッチ装置に関する。
【背景技術】
【０００２】
従来の技術として、互いに偏光方向の異なる光を発光する２つの光源と、各光源からの偏光方向の光の各々を通過する２つの偏光板と、各偏光板を通過した光の各々の偏光方向を有する偏光部、及び表示図形あるいは文字等を切欠いて透光部とを有した２つの表示偏光板とを備え、発光する光を切り替えることで表示する情報を切り替える表示切替装置が知られている（例えば、特許文献１参照）。
【０００３】
また、従来技術として、発光体に対面する入射部と、入射部から入射した光を導光するリング状の導光部と、導光部を通った光を表示部に射出する射出端と、導光部の内部に導光される光を射出端に向けて反射させると共に、入射部からの距離に応じて幅を広くした射出用反射面と、を備え、発光体からの光を表示部に導くリング状のライトガイドが知られている（例えば、特許文献２参照）。
【先行技術文献】
【特許文献】
【０００４】
【特許文献１】実開昭６１−２５００２号公報
【特許文献２】特開２００９−１７０３０９号公報
【発明の概要】
【発明が解決しようとする課題】
【０００５】
特許文献１に記載の表示切替装置では、偏光板に通した光を表示に利用するため、光源のもつエネルギーが半分に減少する。また、光源から発せられた光が表示部に到達するまでの伝播途中で偏光が発散することがある。これらのことから、この種の表示切替装置では、表示部における輝度不足が問題となる。
【０００６】
そこで、特許文献２に記載されたライトガイドを用いて、発散した光を回収することにより表示部における輝度の向上を図ることが考えられる。しかし、この場合にはライトガイドが持つ複屈折特性や散乱特性によって偏光特性が変化し、複合表示が生じる可能性がある。
【０００７】
従って、本発明の目的は、偏光特性の変化を抑制しつつ、輝度を高めることができる表示切替装置及びこの表示切替装置を備えたスイッチ装置を提供することにある。
【課題を解決するための手段】
【０００８】
本発明は上記目的を達成するため、第１及び第２光源と、前記第１光源からの光を第１の偏光方向に偏光させる第１光源側偏光板と、前記第２光源からの光を前記第１の偏光方向とは異なる第２の偏光方向に偏光させる第２光源側偏光板と、前記第１の偏光方向を有する偏光を透過させて第１表示マークを表示させる第１表示用偏光板と、前記第１表示用偏光板と一部が重複するように設けられ、前記第２の偏光方向を有する偏光を透過させて第２表示マークを表示させる第２表示用偏光板と、前記第１及び第２光源側偏光板と前記第１及び第２表示用偏光板との間に配置されて、前記第１及び第２光源側偏光板を透過した偏光を前記第１及び第２表示用偏光板に向けて外面反射する反射面を有するライトガイドと、を備えている表示切替装置を提供する。
【０００９】
また、本発明は上記目的を達成するため、上記に記載の表示切替装置を備えるスイッチ装置であって、前記第１及び第２光源の発光状態及び非発光状態を切り替えるスイッチ部と、前記スイッチ部を操作する操作部と、を備え、前記第１及び第２表示用偏光板が前記操作部に設けられている、スイッチ装置を提供する。
【発明の効果】
【００１０】
本発明によれば、偏光特性の変化を抑制しつつ、輝度を高めることができる。
【図面の簡単な説明】
【００１１】
【図１】図１（ａ）は、本発明の実施の形態に係るスイッチ装置の上平面図であり、図１（ｂ）は、図１（ａ）のＡ−Ａ断面を示す断面図である。
【図２】図２は、図１（ｂ）のＢ−Ｂ線断面を示す断面図である。
【図３】図３（ａ）は、第１表示用偏光板の上平面図、図３（ｂ）は、図３（ａ）の断面図、図３（ｃ）は、第２表示用偏光板の上平面図、図３（ｄ）は、図３（ｃ）の断面図である。
【図４】図４は、第１光源から照射した光がライトガイドによって外面反射される様子を示す図である。
【図５】図５（ａ）は、第１光源を発光させた場合に第１表示マークが表示される状態を示す上平面図であり、図５（ｂ）は、第１光源から照射した光の経路を示す断面図である。
【図６】図６（ａ）は、第２光源を発光させた場合に第２表示マーク部が表示される状態を示す上平面図であり、図６（ｂ）は、第２光源から照射した光の経路を示す断面図である。
【発明を実施するための形態】
【００１２】
（実施の形態の要約）
本実施の形態に係る表示切替装置は、第１及び第２光源と、前記第１光源からの光を第１の偏光方向に偏光させる第１光源側偏光板と、前記第２光源からの光を前記第１の偏光方向とは異なる第２の偏光方向に偏光させる第２光源側偏光板と、前記第１の偏光方向を有する偏光を透過させて第１表示マーク部を表示させる第１表示用偏光板と、前記第１表示用偏光板と一部が重複するように設けられ、前記第２の偏光方向を有する偏光を透過させて第２表示マーク部を表示させる第２表示用偏光板と、前記第１及び第２光源側偏光板と前記第１及び第２表示用偏光板との間に配置されて、前記第１及び第２光源側偏光板を透過した偏光を前記第１及び第２表示用偏光板に向けて外面反射する反射面を有するライトガイドと、を備えて概略構成されている。
【００１３】
この表示切替装置は、第１及び第２光源側偏光板を透過した偏光をライトガイドによって外面反射させることにより、第１及び第２表示用偏光板へ集光する。従って、第１及び第２光源側偏光板を透過した偏光を内面反射によって第１及び第２表示用偏光板へ集光する場合に比較して、偏光特性の変化を抑制しつつ輝度を高めることができる。
【００１４】
[実施の形態]
（スイッチ装置１の概要）
本実施の形態に係るスイッチ装置１は、図１（ａ）及び（ｂ）に示すように、第１及び第２光源４０，５０と、第１及び第２光源４０，５０の発光状態及び非発光状態を切替えるスイッチ部９２と、スイッチ部９２を操作する操作部１０と、操作部１０に設けられ、第１光源４０からの光を第１の偏光方向に偏光させる第１光源側偏光板４５と、第２光源４０からの光を第１の偏光方向とは異なる第２の偏光方向に偏光させる第２光源側偏光板５５と、第１の偏光方向を有する偏光を透過させて第１表示マーク部２５を表示させる第１表示用偏光板２０と、第１表示用偏光板２０と一部が重複するように設けられ、第２の偏光方向を有する偏光を透過させて第２表示マーク部３５を表示させる第２表示用偏光板３０と、第１及び第２光源側偏光板４５，５５と第１及び第２表示用偏光板２０，３０との間に配置されて、第１及び第２光源側偏光板４５，５５を透過した偏光を第１及び第２表示用偏光板２０，３０に向けてガイドするライトガイド８０と、を備えて構成されている。
【００１５】
なお上述した、第１及び第２光源４０，５０と、第１及び第２光源側偏光板４５，５５と、第１及び第２表示用偏光板２０,３０と、ライトガイド８０とが、本発明における表示切替装置の一態様を構成する。
【００１６】
（操作部１０の構成）
操作部１０は、図１（ａ）及び（ｂ）に示すように、押圧操作が行われるノブ部１１と、ノブ部１１に装着される拡散板１５、第１表示用偏光板２０、第２表示用偏光板３０を収容する凹部である収容部１２と、を備えている。ノブ部１１は、例えば、樹脂で形成され、スモーク仕様とされている。
【００１７】
操作部１０は、操作（押圧操作）する側から見ると、その操作面１３は、押圧操作するための操作面であると共に、スイッチ等に関する情報を提示あるいは表示するための表示面である。以下、操作面１３を表示面と同視して説明する。
【００１８】
操作面１３には、図１（ａ）に示すように、表示領域がいくつかの領域に区分されて、マーク、文字等の図形が提示、表示される。以下では、マーク、文字等の図形の提示の一形態として、マーク、文字等の図形の表示として説明する。
【００１９】
操作面１３に表示されるマーク、文字等の図形は、後述する第１表示用偏光板２０、第２表示用偏光板３０に形成されたそれぞれの偏光部と透過部との組み合わせにより、後述する第１光源４０と第２光源５０の発光切り替え制御に基づいて、表示される。なお、この表示は、上記した拡散板１５を通して表示されることにより均一な光で照明表示されるが、拡散板１５のない構成であってもよい。また、ノブ部１１は、スモーク仕様とされているので、第１光源４０等により照明表示されていないときは、ブラックアウトした状態である。
【００２０】
図１（ａ）に示すように、共通部１０１は、第１光源４０と第２光源５０の両方の光を透過して表示する領域、すなわち、後述する偏光部の各々における偏光方向が解除され、提示すべき情報が現された提示部である。この共通部１０１は、第１表示用偏光板２０と第２表示用偏光板３０の一部分が重複するように設けられており、第１光源４０の発光による表示と第２光源５０の発光による表示において、共通に表示される領域である。
【００２１】
第１領域１０２は、第１光源４０からの光のみが透過し、第２光源５０からの光は透過しない領域、すなわち、対応する偏光方向を有した偏光部である。図１（ａ）において、横方向のハッチングで示す領域である。また、第２領域１０３は、第２光源５０からの光のみが透過し、第１光源４０からの光は透過しない領域、すなわち、対応する偏光方向を有した偏光部である。図１（ａ）において、縦方向のハッチングで示す領域である。また、非表示領域１０４は、第１光源４０及び第２光源５０のどちらからの光も透過しない領域である。図１（ａ）において、縦横方向のクロスハッチングで示す領域である。なお、さらに外側の枠部１０５も非表示領域である。
【００２２】
操作面１３には、上記示した共通部１０１、第１領域１０２、第２領域１０３、及び非表示領域１０４の組み合わせにより形成される所定のマーク、文字等の図形が表示される。なお、光の透過、不透過は、所定のマーク、文字等の図形が表示される程度であればよく、透過率が１００％、不透過率が１００％である必要はない。また、非表示領域１０４は、第１表示用偏光板２０又は第２表示用偏光板３０の対応する領域に例えば黒塗装等により不透過領域が形成されていてもよい。
【００２３】
図１（ｂ）に示すように、操作部１０は、Ｐ方向の押圧操作が可能なスイッチ機構を有して構成されている。操作部１０の下部はホルダ６０に固定されている。操作部１０とホルダ６０は一体的に上下方向に移動可能とされている。
【００２４】
ホルダ６０は、筒状に形成されている。ホルダ６０の外周部６１は、筒状のケース７０の内周部７１とスライド可能に嵌合している。ホルダ６０の内部にはライトガイド８０が配置されている。
【００２５】
ホルダ６０は、ケース７０の底面に固定された基板９５との間に配置されたバネ６００により、弾性力により上下方向に支持されている。これにより、Ｐ方向の押圧操作により、ホルダ６０の下部に設けられたプッシャ６３が、基板９５に実装されたスイッチ部９２を動作させる。これにより、スイッチ部９２は、筒状のケースの端部に配置され、操作部１０がケース７０の軸方向に沿って移動することにより、スイッチ部９２における動作状態（例えば、オン又はオフ状態）が切り替えられる。このように、図１（ａ）及び（ｂ）で示す操作部１０、ケース７０等を備える構成はスイッチ装置として機能し、特に、表示切替え可能な操作部を備えたスイッチ装置として機能する。
【００２６】
（第１光源４０の構成）
第１光源４０は、例えば、レーザ光、ＬＥＤ光等が使用できる。例えば、レーザ光の場合は特定の方向に偏光成分を有するように偏光方向を調整し、また、ＬＥＤ光等では特定の方向に偏光成分を有するように出射部に偏光素子を配置する。本実施の形態では、第１光源４０としてＬＥＤ光源を使用し、出射部に第１光源側偏光板４５を配置している。
【００２７】
第１光源４０は、第１光源側偏光板４５により、図３（ａ）に示す第１の偏光方向２３に偏光方向を有する光を出射する。第１光源４０から第１光源側偏光板４５を通して出射される光は、後述する第２表示用偏光板３０の第２透過部３２及び第１表示用偏光板２０の全領域を透過することができる。
【００２８】
（第２光源５０の構成）
第２光源５０は、例えば、レーザ光、ＬＥＤ光等が使用できる。例えば、レーザ光の場合は特定の方向に偏光成分を有するように偏光方向を調整し、また、ＬＥＤ光等では特定の方向に偏光成分を有するように出射部に偏光素子を配置する。本実施の形態では、第２光源５０としてＬＥＤ光源を使用し、出射部に第２光源側偏光板５５を配置している。
【００２９】
第２光源５０は、第２光源側偏光板５５により、図３（ｃ）に示す第２の偏光方向３３に偏光方向を有する光を出射する。したがって、第２光源５０から第２光源側偏光板５５を通して出射される光の偏光方向は、第１光源４０から第１光源側偏光板４５を通して出射される光の偏光方向と直交する。第２光源５０から第２光源側偏光板５５を通して出射される光は、後述する第２表示用偏光板３０の全領域及び第１表示用偏光板２０の第１透過部２２を透過することができる。
【００３０】
（ライトガイド８０の構成）
ライトガイド８０は、図１（ｂ）に示すように、ホルダ６０の内部に例えば圧入によって固定されている。なおライトガイド８０の固定方法はこれに限定されず、例えば接着剤等によってホルダ６０に対して固定されていてもよい。
【００３１】
ライトガイド８０は筒状に形成されており、図２に示すように、中心軸方向（Ｐ方向）に沿って見た場合の形状が矩形状である。また、ライトガイド８０を構成する素材としては、例えばアクリルやポリカーボネードである。なお図２では、説明の便宜上、ホルダ６０及びライトガイド８０のみ図示している。
【００３２】
なお変形例として、ライトガイド８０は、中心軸方向に沿って見た形状が円形あるいは楕円形でもよい。さらにいえば、ライトガイド８０は、ホルダ６０の壁部６２に沿って設けられる複数の板部材で構成されていてもよい。この場合には、ホルダ６０の壁部６２の４辺に対応するように、板状のライトガイドを貼り付けて固定すればよい。
【００３３】
ライトガイド８０の内部は、第１光源４０からの光、及び第２光源５０からの光が通過する空間部８００として形成されている。
【００３４】
ライトガイド８０の内面は、第１光源側偏光板４５及び第２光源側偏光板５５を透過した偏光を外面反射する第１乃至第４反射面８０ａ〜８０ｄとして形成されている。ここで、外面反射とは、第１光源側偏光板４５及び第２光源側偏光板５５を透過した偏光が、第１乃至第４反射面８０ａ〜８０ｄの表面で反射することをいう。
【００３５】
第１反射面８０ａは第２反射面８０ｂと対向し、第３反射面８０ｃは第４反射面８０ｄと対向している。空間部８００は、第１乃至第４反射面８０ａ〜８０ｄに囲まれて形成された空間である。なお第１乃至第４反射面８０ａ〜８０ｄには、外面反射の反射率を向上するための反射膜等のコーティングが施されていてもよい。
【００３６】
（第１表示用偏光板２０の構成）
第１表示用偏光板２０は、板状の偏光板で形成され、提示フィルタとして機能する。この第１表示用偏光板２０は、例えば、偏光機能を有する偏光層の上下をそれぞれ保護する保護フイルムで挟んだ偏光板である。
【００３７】
図３（ａ）に示すように、第１表示用偏光板２０の偏光機能は、第１の偏光方向２３と同じ方向に直線偏光された光は、透過し、第１の偏光方向２３と直交する方向に直線偏光された光は、透過しない機能である。
【００３８】
ここで、図３（ａ）に示す第１透過部２２は、偏光機能を有さず、偏光状態によらずに光を透過させる部位である。
【００３９】
第１表示用偏光板２０は、図３（ａ）及び（ｂ）に示すように、第１の偏光方向２３に偏光された直線偏光の光を透過させる第１偏光部２１と、偏光状態によらずに光を透過させる第１透過部２２の領域を有して構成されている。したがって、第１表示用偏光板２０は、提示フィルタとして機能する。この第１偏光部２１と第１透過部２２の形状は、後述する第２表示用偏光板３０との組み合わせにより、所定のマーク、文字等の図形を表示することができる。
【００４０】
（第２表示用偏光板３０の構成）
第２表示用偏光板３０も、第１表示用偏光板２０と同様の構成により、板状の偏光板で形成され、提示フィルタとして機能する。第２表示用偏光板３０は、操作部１０において第１表示用偏光板２０と一部分が重複するように設けられ、第１の偏光方向２３とは異なる第２の偏光方向３３を有する光が照射されるように構成されている。ここで、第１の偏光方向２３と第２の偏光方向３３は、直交する。
【００４１】
第２表示用偏光板３０は、図３（ｃ）及び（ｄ）に示すように、第２の偏光方向３３に偏光された直線偏光の光を透過させる第２偏光部３１と、偏光状態によらずに光を透過させる第２透過部３２の領域を有して構成されている。したがって、第２表示用偏光板３０は、提示フィルタとして機能する。この第２偏光部３１と第２透過部３２の形状は、上記した第１表示用偏光板２０との組み合わせにより、所定のマーク、文字等の図形を表示することができる。
【００４２】
図４に示すように、第１光源４０から照射された光のうち、第１反射面８０ａで外面反射する光４０ａ及び第２反射面８０ｂで外面反射する光４０ｂが、第１及び第２表示用偏光板２０，３０側に向けて集光されている。これにより、第１光源４０からの光が伝播途中で発散する偏光を回収することができるので、ライトガイド８０がない場合に比較して、第１表示用偏光板４０における輝度が向上する。さらに、第１光源側偏光板４５を透過した偏光が外面反射によって第１表示用偏光板２０に向けてガイドされるので、第１光源側偏光板４５を透過した偏光の偏光方向（第１の偏光方向２３）の変化が抑制される。なお第２光源５０が照射した光についても同様である。
【００４３】
（動作）
（第１表示マーク部２５の表示）
操作部１０を操作して第１光源４０を発光させると、図５（ｂ）に示すように、第１光源４０から第１光源側偏光板４５を通して第１の偏光方向２３に偏光方向を有する光が出射される。この光は、図４で説明したように、ライトガイド８０の空間部８００を通過し、あるいは、第１乃至第４反射面８０ａ〜８０ｄで外面反射して、第１表示用偏光板２０及び第２表示用偏光板３０に照射される。また、この光は、第１の偏光方向２３に偏光方向を有するので、第２表示用偏光板３０の第２透過部３２及び第１表示用偏光板２０の全領域を透過する。これにより、図１（ａ）で示した共通部１０１と第１領域１０２を合わせた第１表示マーク部２５が、図５（ａ）に示すように表示される。第１表示マーク部２５以外の領域は、図１（ａ）で示した第２領域１０３と非表示領域１０４と枠部１０５を合わせた第１非表示マーク部２６として表示されない、すなわち、ブラックアウトの状態となる。
【００４４】
（第２表示マーク部３５の表示）
操作部１０を操作して第２光源５０を発光させると、図６（ｂ）に示すように、第２光源５０から第２光源側偏光板５５を通して第２の偏光方向３３に偏光方向を有する光が出射される。この光は、図４で説明したように、ライトガイド８０の空間部８００を通過し、あるいは、第１乃至第４反射面８０ａ〜８０ｄで外面反射して、第１表示用偏光板２０及び第２表示用偏光板３０に照射される。また、この光は、第２の偏光方向３３に偏光方向を有するので、第２表示用偏光板３０の全領域及び第１表示用偏光板２０の第１透過部２２を透過する。これにより、図１（ａ）で示した共通部１０１と第２領域１０３を合わせた第２表示マーク部３５が図６（ａ）に示すように表示される。第２表示マーク部３５以外の領域は、図１（ａ）で示した第１領域１０２と非表示領域１０４と枠部１０５を合わせた第２非表示マーク部３６として表示されない、すなわち、ブラックアウトの状態となる。
【００４５】
（実施の形態の効果）
本実施の形態に係るスイッチ装置１は、第１及び第２光源側偏光板４０，５０を透過した偏光を外面反射する第１乃至第４反射面を有するライトガイド８０を備えているので、偏光特性の変化を抑制しつつ輝度を向上させることができる。より具体的には、例えば特許文献１に記載のように光源から発せられた光がライトガイド内を透過して、内面反射によって光を表示側に集光する場合には光の複屈折や散乱が生じるため、偏光解消に起因した複合表示が起きる可能性がある。しかし、本実施の形態では、ライトガイド８０の第１乃至第４反射面８０ａ〜８０ｄの外面反射によって第１及び第２光源４０，５０からの光を第１及び第２光源側偏光板４０，５０に向けて集光しているので、第１及び第２光源側偏光板４０，５０からの偏光の偏光特性を維持した状態で第１及び第２表示用偏光板２０，３０側に第１及び第２光源４０，５０からの光を集光することができる。
【００４６】
本実施の形態に係るスイッチ装置１は、ノブ部１１の操作面１３に表示マーク部が切り替え表示できるので、例えば、スイッチ装置のオンオフ動作の内容に応じて表示内容を切り替えできる。また、この切り替え可能な内容表示は、非表示マーク部の見え方が改善された高性能な表示であるので、スイッチ装置１のスイッチ操作時の操作性が向上する。
【００４７】
なお、本実施の形態は、表示切り替え機能を有するスイッチ装置として使用できると共に、スイッチ機能を有しない表示切り替え装置として使用することも可能である。
【００４８】
以上、本発明のいくつかの実施の形態及び変形例を説明したが、これらの実施の形態及び変形例は、一例に過ぎず、特許請求の範囲に係る発明を限定するものではない。また、これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００４９】
１…スイッチ装置，１０…操作部，１１…ノブ部，１２…収容部，２０…第１表示用偏光板，３０…第２表示用偏光板，２１…第１偏光部，２２…第１透過部，２３…第１の偏光方向，２５…第２表示マーク部，２６…非表示マーク部，３０…第１表示用偏光板，３１…第２偏光部，３２…第２透過部，３３…第２の偏光方向，３５…第２表示マーク部，３６…非表示マーク部，４０…第１光源，４５…第１光源側偏光板，５０…第２光源，５５…第２光源側偏光板，６０…ホルダ，７０…ケース，８０…ライトガイド，８０ａ…第１反射面，８０ｂ…第２反射面，８０ｃ…第３反射面，８０ｄ…第４反射面，６３…プッシャ，９２…スイッチ部，９５…基板，１０１…共通部，１０２…第１領域，１０３…第２領域，１０４…非表示領域，８００…空間部
【図１】
2018156005.tif 000003
【図２】
2018156005.tif 000004
【図３】
2018156005.tif 000005
【図４】
2018156005.tif 000006
【図５】
2018156005.tif 000007
【図６】
2018156005.tif 000008